(57)【要約】【課題】ＡＤＦにより原稿を搬送しながら読み取る装置において、ローラ搬送により原稿にたわみが発生し、画質劣化を招くのを防止する。【解決手段】シェーディングＲＡＭ２４ａに白基準板用のシェーディング補正データを記憶しておき、シェーディングＲＡＭ２４ｂ、２４ｃ、２４ｄには紙厚の異なる白原稿紙（１）、紙（２）、紙（３）用のシェーディング補正データを記憶しておき、ＡＤＦで原稿読み取り時に（ステップＳＴ１）、かつ読み取り原稿が、例えば紙（１）である場合に（ステップＳＴ２）、シェーディングＲＡＭ２４ａとシェーディングＲＡＭ２４ｂのデータを読み出し（ステップＳＴ３）、これら白基準板のシェーディング補正データと紙（１）用のシェーディング補正データとを合算して、シェーディング補正データとし、読み取り原稿に対するシェーディング補正を行う（ステップＳＴ７）。【選択図】      図７
2004328182.tif 000002
【特許請求の範囲】
【請求項１】
原稿を搬送しながら読み取りを行う方式の画像読取装置において、
白色基準部材を読み取って得た読取値と、搬送中の白色原稿を読み取って得た読取値とに基づいて補正パラメータを算出する手段と、算出した補正パラメータを記憶する手段と、記憶している補正パラメータを用いてシェーディング補正を行う手段とを備えることを特徴とする画像読取装置。
【請求項２】
前記記憶手段は、複数種類の原稿紙質について、それぞれ搬送中の白色原稿を読み取って得た読取値又は補正パラメータを記憶することを特徴とする請求項１記載の画像読取装置。
【発明の詳細な説明】
【０００１】
【発明の属する技術分野】
この発明は、複写装置、ファクシミリ装置、ファクシミリ機能・複写機能等の多機能を有する複合機等の画像読取機能を有する画像読取装置に関する。
【０００２】
【従来の技術】
一般に画像読取装置において、光学系の歪みを補正するために、白板を用いてシェーディング補正し、また、原稿の白黒の光量の補正にシェーディング補正をかけている。
【０００３】
ところで、原稿面と基準面との高さの差（光源からの距離の差）による画質劣化を防止するために、予め光量差補正データを記憶しておき、シェーディング後の画像データに補正を施すものが開示されている（例えば、特許文献１参照）。
【０００４】
【特許文献１】
特開平５−１４７１４号公報
【０００５】
【発明が解決しようとする課題】
ＡＤＦ（自動原稿給送装置）により、原稿を搬送しながら読み取りを行う読取方式採用の装置において、白色原稿を基準にシェーディング補正を行うと、実際に原稿搬送時に、白色原稿でも、たわみ等によって光量が変化し、画質劣化（縦筋の発生）を生じることがある。なお、上記特許文献１に記載の技術では、原稿面と基準面の高さの差を予め光量差補正データとして記憶しておき、補正するようにしているが、特許文献１では、ＡＤＦを使用することの記載はあるものの、光量差補正データを記憶しておくのは、プラテンガラス上に原稿を停止させた状態で読み取る方式の装置である。
【０００６】
この発明は上記問題点に着目してなされたものであって、ＡＤＦにより原稿を搬送しながら読み取りを行う装置において、ローラ搬送により原稿にたわみが発生することにより、画質劣化（縦筋の発生）を招くのを防止し得る画像読取装置を提供することを目的としている。
【０００７】
【課題を解決するための手段】
この発明の画像読取装置は、原稿を搬送しながら読み取りを行う方式の画像読取装置において、白色基準部材を読み取って得た読取値と、搬送中の白色原稿を読み取って得た読取値とに基づいて補正パラメータを算出する手段と、算出した補正パラメータを記憶する手段と、記憶している補正パラメータを用いてシェーディング補正を行う手段とを備える。
【０００８】
この発明の画像読取装置では、前記記憶手段は、複数種類の原稿紙質について、それぞれ搬送中の白色原稿を読み取って得た読取値又は補正パラメータを記憶すると良い。
【０００９】
【発明の実施の形態】
以下、実施の形態により、この発明をさらに詳細に説明する。図１は、この発明の一実施形態ファクシミリ装置の構成を示すブロック図である。
【００１０】
この実施形態ファクシミリ装置は、図１に示すように、ＮＣＵ１と、ＭＯＤＥＭ２と、ＲＯＭ３と、ＲＡＭ４と、画像メモリ５と、ＭＰＵ６と、表示部７と、操作部８と、画像読取部９と、ＣＯＤＥＣ１０と、プリンタ１１と、バス１２とを備えている。ＮＣＵ１は、電話回線１３との接続を制御するとともに、相手先の電話番号（＝対応したダイヤル信号）の送出機能、及び着信を検出するための機能を備えている。ＭＯＤＥＭ２は、ＩＴＵ−Ｔ勧告Ｔ．３０に従ったファクシミリ伝送制御手順に基づいて、Ｖ．１７、Ｖ．２７ｔｅｒ、Ｖ．２９等に従った送信データの変調及び受信データの復調を行う。ＲＯＭ３は装置全体を制御するためのプログラムを記憶する。ＲＡＭ４は、ファクシミリ装置に関する各種情報を一時的に記憶する。画像メモリ５は受信画像データや画像読取部９で読み取られた画像データを一時的に記憶する。ＭＰＵ６は、ＲＯＭ３に記憶されたプログラムに従い、装置を構成する各部を制御する。表示部７は装置の動作状態等の各種情報、転送時間帯表示等の表示を行う。操作部８はテンキー、ワンタッチキー、スタートキー、その他のキーで構成される。画像読取部９は原稿上の画像データを読み取って、白黒２値のイメージデータを出力する。ＣＯＤＥＣ１０は、送信すべき画データを符号化し、また受信した画データを復号する。プリンタ１１は、電子写真式のプリンタよりなり、受信画像データやコピー動作において、画像読取部９で読み取られた原稿の画像データを記録紙上に記録する。もっとも、ここに示す実施形態ファクシミリ装置のハード構成は、特に新規なものではなく、各回路構成自体は、既によく知られたものである。
【００１１】
画像読取部９は、図２に示すように、ＣＣＤラインセンサ２１と、アナログフロントエンド２２と、シェーディング補正回路２３と、シェーディングＲＡＭ２４と、ガンマ補正回路（ＲＡＭ）２５と、２値化回路２６とを備えている。
【００１２】
ＣＣＤラインセンサ２１は、原稿の１走査線の画像を読み取り、所定間隔をおいて次の走査線画像を順次に読み取る。アナログフロントエンド２２は、ＣＣＤラインセンサ２１の出力をアナログ増幅するとともに、デジタルデータで多値化出力する。シェーディングＲＡＭ２４は、白基準板（シェーディングプレート）読み取り時、及び又は白色原稿読み取り時のアナログフロントエンド２２の出力をシェーディング補正用に記憶している。シェーディング補正回路２３は、原稿読み取り時のアナログフロントエンド２２の出力をシェーディングＲＡＭ２４に記憶してあるシェーディング補正データにより、シェーディング補正し、出力する。ガンマ補正回路２５は、例えば、所定の入／出力特性を有し、ガンマ補正を行う。ガンマ補正回路２５は、一般的に画質調整用に使用される。２値化回路２６は、所定のしきい値でガンマ補正回路２５の出力を２値化する。この２値化回路２６は、ガンマ補正回路２５に含むものであっても良い。
【００１３】
この実施形態ファクシミリ装置では、画像読取部９は、ＡＤＦ（自動原稿給送）方式と、ＦＢＳ方式の両方で読み取り可能に構成されている。ＡＤＦ方式採用の場合は、原稿を搬送しながら、ＣＣＤラインセンサ２１で読み取りを行い、ＦＢＳ方式採用の場合は、プラテンガラス上に原稿を配置した状態で、スキャナを移動させて読み取りを行う。
【００１４】
画像読取部９のシェーディングＲＡＭ２４には、図３に示すように、白基準板用シェーディングＲＡＭ２４ａと、白紙〔白色原稿〕（１）用シェーディングＲＡＭ２４ｂと、白紙（２）用シェーディングＲＡＭ２４ｃと、白紙（３）用シェーディングＲＡＭ２４ｄの各記憶領域を有する。
【００１５】
ＦＢＳ方式による読み取りを行う場合には、ＣＣＤラインセンサ２１で白基準板を読み取り、そのデータよりシェーディング補正データを求め、シェーディングＲＡＭ２４ａに白基準板用シェーディング補正データを記憶する。白基準板読み取りデータを一例として、図４の特性Ａとすると、この特性Ａを、そのシェーディング補正用データとして記憶する。
【００１６】
ＡＤＦ方式による読み取りを行う場合には、原稿を搬送しながら読み取るので、図６に示すように、ローラ３１、３２間の原稿３３にたわみが生じる。そのため、白紙原稿を読み取った場合でも、図５のｃに示すように、白基準レベルに対して偏差のあるレベルとなる。この偏差は白紙の紙厚によって相違するものとなるので、白紙の厚さの異なる標準的な複数の白紙、例えば白紙（１）、白紙（２）、白紙（３）について、予め、それぞれＡＤＦで読み取ったデータをシェーディング補正データＤとして、白紙（１）用シェーディングＲＡＭ２４ｂ、白紙（２）用シェーディングＲＡＭ２４ｃ、白紙（３）用シェーディングＲＡＭ２４ｄに、それぞれＤ１、Ｄ２、Ｄ３を記憶している。
【００１７】
次に、この実施形態における実際の原稿読み取り時のシェーディング補正処理について、図７のフロー図を参照して説明する。この処理が開始されると、ステップＳＴ１において、ＡＤＦによる読み取りか否かを判定する。ＡＤＦではなく、ＦＢＳによる読み取りの場合には、ステップＳＴ８へ移行する。一方、ＡＤＦによる読み取りの場合は、ステップＳＴ２へ移行する。ステップＳＴ８においては、原稿をガラス基板にセットされた状態での読み取りなので、この場合には、白基準板用のシェーディングＲＡＭ２４ａのデータを読み出す。そして、ステップＳＴ７へ移行する。
【００１８】
ステップＳＴ２においては、原稿として、紙（１）使用か否か判定する。つまり、読み取り原稿の紙質を判定する。この判定は、操作者が行う操作部８から指定入力に基づいて行う。また、原稿の厚さを検出するセンサ出力に基づいて行っても良い。原稿が紙（１）でない場合は、ステップＳＴ４へ移行する。一方、紙（１）の場合は、ステップＳＴ３へ移行する。ステップＳＴ４においては、原稿が紙（２）か否か判定する。紙（２）の場合は、ステップＳＴ５へ移行する。一方、紙（２）でない場合は、ここでは紙（３）であるとして、ステップＳＴ６へ移行する。
【００１９】
ステップＳＴ３においては、使用された原稿の紙質が紙（１）〔紙厚が、例えば紙（１）＜紙（２）＜紙（３）とする〕であるので、シェーディングＲＡＭ２４ａ、２４ｂから白基準板用のシェーディング補正データＡと、紙（１）用の補正データＤ１とを読み出し、両者、つまり補正データＡと補正データＤ１の差分Ｅ１を求める。
【００２０】
ステップＳＴ５においては、使用された原稿が紙（２）であるので、シェーディングＲＡＭ２４ａ、２４ｃから白基準板用のシェーディング補正データＡと、紙（２）用の補正データＤ２を読み出し、両者、つまり補正データＡと補正データＤ２の差分Ｅ２を求める。
【００２１】
ステップＳＴ６においては、使用された原稿が紙（３）であるので、シェーディングＲＡＭ２４ａ、２４ｄから白基準板用のシェーディング補正データＡと、紙（３）用の補正データＤ３を読み出し、両者、つまり補正データＡと補正データＤ３の差分Ｅ３を求める。ステップＳＴ３、ＳＴ５又はステップＳＴ６に続いて、ステップＳＴ７へ移行する。
【００２２】
ステップＳＴ７においては、ＦＢＳ読み取りの場合には、白基準板用シェーディング補正データＡを用いて、実際の画像読取データのシェーディング補正を行う。一方、ＡＤＦ読み取りの場合は、選択した紙質に応じて算出した差分Ｅ１（Ｅ２又はＥ３）を用いて、実際の画像読取データのシェーディング補正を行う。
【００２３】
以上のように、この実施形態においては、複数の紙質の原稿に対して個別にシェーディング補正用の読取データＤ（ＡＤＦで白紙原稿を読み取って得た読取データ）を格納しておき、画像読み取り後、選択された紙質に対応するシェーディング補正用の読取データＤを読み出し、その読取データＤと上記読取データＡとの差分Ｅを算出し、その差分Ｅを用いて、実際の画像読取データのシェーディング補正を行うようにしている。
【００２４】
なお、上記実施形態の変形例として、読取データＤを格納する代わりに、予め読取データＤと読取データＡとの差分Ｅを算出しておき、その差分Ｅを紙質毎に格納しておくようにしても良い。その場合、選択された紙質に対応する差分Ｅを読み出し、それを用いて画像読取データのシェーディング補正を行う。
【００２５】
また、上記実施形態において、読取データＤは、同じ紙質の白原稿を読み取った場合でも、ＡＤＦ搬送機構の構造によってバラツキが生じると思われるので、同じタイプのＡＤＦ機構を備える複数の装置を使用して、採取したデータから求めた値（例えば、平均値）を使用する。
【００２６】
【発明の効果】
この発明によれば、白色基準部材を読み取って得た読取値と、搬送中の白色原稿を読み取って得た読取値とに基づいて補正パラメータを算出する手段と、算出した補正パラメータを記憶する手段と、記憶している補正パラメータを用いてシェーディング補正を行う手段とを備えているので、ローラ搬送で発生する原稿のたわみによる縦筋の発生等を防止できる。
【００２７】
また、記憶手段は、複数種類の原稿紙質について、それぞれ搬送中の白色原稿を読み取って得た読取値又は補正パラメータを記憶することにより、複数種類の原稿について、それぞれ確実に縦筋の発生等を防止できる。
【図面の簡単な説明】
【図１】この発明が実施されるファクシミリ装置の概略構成を示すブロック図である。
【図２】同ファクシミリ装置の画像読取部の構成を示すブロック図である。
【図３】同画像読取部のシェーディングＲＡＭの記憶データを示す図である。
【図４】同画像読取部の白基準板での読取特性の一例を示す図である。
【図５】同画像読取部の搬送中の白色原稿での読取特性を示す図である。
【図６】搬送中の原稿のたわみの発生を説明する図である。
【図７】上記画像読取部でのシェーディング補正処理を説明するフロー図である。
【符号の説明】
６        ＭＰＵ
８        操作部
９        画像読取部
２１      ＣＣＤラインセンサ
２２      アナログフロントエンド
２３      シェーディング補正回路
２４      シェーディングＲＡＭ
２４ａ    白地基板用シェーディングＲＡＭ
２４ｂ    紙（１）用シェーディングＲＡＭ
２４ｃ    紙（２）用シェーディングＲＡＭ
２４ｄ    紙（３）用シェーディングＲＡＭ
２５      ガンマ補正回路
２６      ２値化回路
【図１】
2004328182.tif 000003
【図２】
2004328182.tif 000004
【図３】
2004328182.tif 000005
【図４】
2004328182.tif 000006
【図５】
2004328182.tif 000007
【図６】
2004328182.tif 000008
【図７】
2004328182.tif 000009